(57)【要約】【課題】衛生的で、かつ、尿が入った状態でも容易に持ち運べる採尿容器を提供する。【解決手段】この採尿容器１００は、人体から採取した尿を貯留する容器本体１と、該容器本体１の開口部１１から外方に向かって突出して図示しない洋式便器に係止する支持体２とを備え、容器本体１を、前記洋式便器の前側に非接触状態で収納可能とするとともに、該容器本体１の開口部１１のうちの採尿部分１２以外を閉塞するように構成したものである。これにより、採尿容器１００は、衛生的で、かつ、尿が入った状態でも容易に持ち運べるようになる。【選択図】図１
2016080373.tif 000002
【特許請求の範囲】
【請求項１】
人体から採取した尿を貯留する容器本体と、該容器本体の開口部から外方に向かって突出して洋式便器に係止する支持体とを備えた採尿容器であって、
前記容器本体を、前記洋式便器の前側に非接触状態で収納可能とするとともに、
該容器本体の開口部のうちの採尿部分以外を閉塞したことを特徴とする採尿容器。
【請求項２】
前記容器本体の底部を、前記洋式便器の前側に沿って傾斜させるとともに、該容器本体の開口部の閉塞部分を、前記底部と逆向きに傾斜させたことを特徴とする請求項１記載の採尿容器。
【請求項３】
前記容器本体の開口部の閉塞部分の後側に、尿の逆流を禁止するための第一堰を設けたことを特徴とする請求項１又は２記載の採尿容器。
【請求項４】
前記容器本体の開口部の非閉塞部分の前側に、尿の流れを規制するための第二堰を設けたことを特徴とする請求項１〜３のいずれか１項に記載の採尿容器。
【請求項５】
前記支持体を、左右振り分けで起曲可能とするとともに、該支持体に、前記容器本体の前側を上向きにして、該容器本体を保持可能な把持部を設けたことを特徴とする請求項１〜４のいずれか１項に記載の採尿容器。
【請求項６】
前記容器本体と、支持体とは、ともに紙製であることを特徴とする請求項１〜５のいずれか１項に記載の採尿容器。
【発明の詳細な説明】
【技術分野】
【０００１】
本発明は、例えば病院等の医療施設において使用する採尿容器に関するものである。
【背景技術】
【０００２】
一般に、病院等の医療施設においては、一日の尿量を測定する検査があり、そのときに採尿容器が使用される場合がある。例えば洋式便座に設置するプラスチック製の採尿容器（市販品）では、使用後に洗浄し、乾燥させて再利用することとしている。
【０００３】
そのような採尿容器として、例えば特許文献１では、検査用排尿を収納する容器本体と、上記容器本体の開口部から外方に向かって突出して便器の側壁上に係止する支持体と、上記容器本体の一部に設けられる注ぎ口とで構成してなるものが開示されている。これにより、取扱いが簡単であり、確実に検査用尿を採取することができ、また容器本体内の尿を別の検査用容器に衛生的かつ簡単に移すことができると、記載されている。
【発明の概要】
【発明が解決しようとする課題】
【０００４】
しかしながら、上記採尿容器では、再利用に対する使用者の不快感、製品劣化による破損等が懸念され、衛生面の管理や洗浄作業等、医療従事者への負担が増える。また、サイクロン洗浄等を行う洋式便器は浅く設計されており、従来の採尿容器を設置すると、容器本体と便器本体とが接触して浮き上がる問題も発生しているため、浮き上がった容器本体上に座ることにより、当該容器自体が破損しており、使用者の負傷も懸念される。さらに、容器本体の開口部から、いったん導入した尿が外部に流出しやすい。このため、使用者が両手で慎重に持ち運ぶ必要があるところ、点滴中の使用者は片手しか使えないので、容器本体に尿が入った状態での持ち運びが困難である。
【０００５】
本発明は、このような事情に鑑みてなされたもので、衛生的で、かつ、尿が入った状態でも容易に持ち運べる採尿容器を提供することを目的とする。
【課題を解決するための手段】
【０００６】
本発明は、人体から採取した尿を貯留する容器本体と、該容器本体の開口部から外方に向かって突出して洋式便器に係止する支持体とを備えた採尿容器であって、前記容器本体を、前記洋式便器の前側に非接触状態で収納可能とするとともに、該容器本体の開口部のうちの採尿部分以外を閉塞したことを特徴とするものである。
【０００７】
本発明によれば、前記容器本体を、前記洋式便器の前側に非接触状態で収納可能としたので、衛生的であり、洋式便器に設置したときに、容器本体と便器本体とが接触して浮き上がることはない。このため、浮き上がった容器本体上に座ることにより、当該容器自体が破損したり、使用者が負傷したりするおそれもない。また、該容器本体の開口部のうちの採尿部分以外を閉塞したので、採取時の尿の導入を妨げることなく、いったん導入した尿が外部に流出しにくくなる。このため、容器本体に尿が入った状態で容易に持ち運べるようになる。
【０００８】
請求項２記載の発明のように、前記容器本体の底部を、前記洋式便器の前側に沿って傾斜させるとともに、該容器本体の開口部の閉塞部分を、前記底部と逆向きに傾斜させることが好ましい。
【０００９】
請求項２記載の発明によれば、前記容器本体の底部を、前記洋式便器の前側に沿って傾斜させたので、採取した尿の逆流を阻止して、容器本体の貯留量を確保できる。また、該容器本体の開口部の閉塞部分を、前記底部と逆向きに傾斜させたので、これによっても尿の逆流を阻止して、容器本体に導くことができる。
【００１０】
請求項３記載の発明のように、前記容器本体の開口部の閉塞部分の後側に、尿の逆流を禁止するための第一堰を設けることが好ましい。
【００１１】
請求項３記載の発明によれば、前記容器本体の開口部の閉塞部分の後側に、尿の逆流を禁止するための第一堰を設けたので、尿の逆流をより確実に阻止することができる。
【００１２】
請求項４記載の発明のように、前記容器本体の開口部の非閉塞部分の前側に、尿の流れを規制するための第二堰を設けることが好ましい。
【００１３】
請求項４記載の発明によれば、前記容器本体の開口部の非閉塞部分の前側に、尿の流れを規制するための第二堰を設けたので、容器本体内の尿を別の場所に移すときの尿の流出量を規制することもできる。
【００１４】
請求項５記載の発明のように、前記支持体を、左右振り分けで起曲可能とするとともに、該支持体に、前記容器本体の前側を上向きにして、該容器本体を保持可能な把持部を設けることが好ましい。
【００１５】
請求項５記載の発明によれば、前記支持体を、左右振り分けで起曲可能とするとともに、該支持体に、前記容器本体の前側を上向きにして、該容器本体を保持可能な把持部を設けたので、容器本体に尿が入った状態でも片手で持ち運べるようになる。
【００１６】
請求項６記載の発明のように、前記容器本体と、支持体とは、ともに紙製であることが好ましい。
【００１７】
請求項６記載の発明によれば、前記容器本体と、支持体とは、ともに紙製であるので、使い捨て可能となる。したがって、再利用に対する使用者の不快感、製品劣化による破損等のおそれがなくなる。また、衛生面の管理等が容易となり、洗浄作業が不要となり、医療従事者への負担が軽減される。
【発明の効果】
【００１８】
本発明によれば、前記容器本体を、前記洋式便器の前側に非接触状態で収納可能としたので、衛生的であり、洋式便器に設置したときに、容器本体と便器本体とが接触して浮き上がることはない。このため、浮き上がった容器本体上に座ることにより、当該容器自体が破損したり、使用者が負傷したりするおそれもない。また、該容器本体の開口部のうちの採尿部分以外を閉塞したので、採取時の尿の導入を妨げることなく、いったん導入した尿が外部に流出しにくくなる。このため、容器本体に導入した尿が入った状態で容易に持ち運べるようになる。
【図面の簡単な説明】
【００１９】
【図１】本発明の一実施形態に係る採尿容器の主たる構成要素を示す斜視図である。
【図２】本採尿容器を洋式便器に据え付けたときの様子を示す平面図である。
【図３】本採尿容器を洋式便器に据え付けたときの様子を示す側断面図である。
【図４】本採尿容器を片手で持ち運ぶときの様子を示す斜視図である。
【発明を実施するための形態】
【００２０】
図１は本発明の一実施形態に係る採尿容器１００の主たる構成要素を示す斜視図、図２は本採尿容器１００を洋式便器２００に据え付けたときの様子を示す平面図、図３は本採尿容器１００を洋式便器２００に据え付けたときの様子を示す側断面図である。なお、図２，図３中の洋式便器２００の手前側を前側、奥側を後側といい、図１中の採尿容器１００の前側と後側も、これに合わせている。また、図では明らかでないが、採尿容器１００の容器本体１及び支持体２の切り欠き部等には、アール部等を適宜設けているものとする。
【００２１】
図１〜図３に示すように、本発明の一実施形態に係る採尿容器（以下、本採尿容器という。）１００は、人体から採取した尿８を貯留する容器本体１と、該容器本体１の開口部１１から外方に向かって突出して洋式便器２００に係止する支持体２とを備えている。
【００２２】
容器本体１は、例えば防水加工を施した紙製であって、図１に示すように、全体視で前上側の採尿部分（非閉塞部分に相当する。）１２のみが開放される。容器本体１には、尿を貯留する貯留空間が形成される。容器本体１は、その上部の前側に、前記貯留空間の上方を開放する開放部分（非閉塞部分に相当する。）が形成される。換言すれば、容器本体１は、その上部に、上方に臨む開口部１１が設けられる。開口部１１の前側には、前記貯留空間の上方を開放する開放部分（非閉塞部分に相当する。）が形成される。開口部１１の後側には、前記貯留空間の上方を閉塞する閉塞部分が形成される。本実施形態では、容器本体１は、その前側から後側にかけて漸次拡大される四角錐台形状をなしている。すなわち、容器本体１は、前上がりに傾斜した台形の底板１４と、底板１４とは逆に後上がりに傾斜した台形であって、開口部１１の後側を閉塞する天井板（閉塞部分に相当する。）１５と、底板１４の周辺からそれぞれ立設した前後左右側板１６〜１９とからなっている。
【００２３】
容器本体１の底板１４を、前記洋式便器２００の便器本体２０１の前側に沿って傾斜させたので、採取した尿８の逆流を阻止して、容器本体１の所定の貯留量（１回の尿量で４００〜５００ｍｌ程度である。）を確保できるようになる。また、該容器本体１の天井板１５を、底板１４と逆向きに傾斜させたので、これによっても尿８の逆流を阻止して、容器本体１内に導くことができるようになる。また、容器本体１の開口部１１を部分的に塞ぐ天井板１５が一種の補強部材となるから、容器本体１に前記所定の貯留量の尿が入ったときであっても、その容器本体１の変形がきわめて少なくなる。
【００２４】
支持体２は、これも例えば防水加工を施した紙製であって、図１に示すように、全体視で、容器本体１の開口部１１を囲繞するように構成されている。すなわち、支持体２は、開口部１１から前後左右にそれぞれ水平に延びる前後左右周板２１〜２４からなっている。そして、支持体２は、図１中の中心線Ｃまわりに、左右振り分けでＡ，Ｂ方向に向けて折り返すことにより、いわゆる谷折り可能となっている。換言すれば、支持体２は、左側部分の上面と右側部分の上面とが対向するように、左右の中心線に沿って谷折りすることができるように構成される。
【００２５】
支持体２の左側部分および右側部分には、使用者によって把持される把持部がそれぞれ設けられる。把持部は、支持体２の左側部分および右側部分において、その前後方向の中間部分にそれぞれ設けられる。本実施形態では、支持体２の左右周板２３，２４には、長孔（把持部に相当する。）５が形成されている。これにより、容器本体１の前側を上向きにして、該容器本体１を保持可能となる。また、天井板１５の後側は後周板２２から若干段落ちさせることにより、採取時の尿８の逆流をこの段部（第一堰に相当する。）３で確実に阻止できるようになっている。さらに、支持体２の前側部分である前周板２１は、開口部１１の前側を若干塞ぐとともに、その中央付近に左右に延びる長孔（第二堰に相当する。）４が形成されている。これにより、採取時の尿８の飛散をより確実に阻止できるとともに、容器本体１内の尿を別の場所に移す時の流路を確保できるようになっている。また、支持体２の前後左右周板２１〜２４で容器本体１の開口部１１の全周を取り巻くようにしているので、容器本体１に前記所定の貯留量の尿が入ったときであっても、その支持体２の変形がきわめて少なくなる。
【００２６】
以下、本採尿容器１００の使用方法を説明する。図４は本採尿容器１００を片手９で持ち運ぶときの様子を示す斜視図である。
【００２７】
まず、図２，図３に示すように、採尿容器１００を洋式便器２００の前側にセットする。ここでは、採尿容器１００の支持体２のうち、左右周板２３，２４を、便座２０２上に置くだけでよい。このとき、前後周板２１，２２は、便座２０２のない空間にあるが、洋式便器２００の便器本体２０１の前側に、容器本体１が完全に収納される。このとき、洋式便器２００の便器本体２０１の前側が特に浅くなる、サイクロン洗浄方式を採用している場合等であっても、採尿容器１００の底板１４がその便器本体２０１の前側と接触することはない。
【００２８】
ついで、採尿容器１００で人体からの尿８を採取する。このとき採取された尿８は、開口部１１の採尿部分１２においては、直接底板１４上に落下し、この底板１４の傾斜により後側に案内されて、そこに貯留される。一方、開口部１１の採尿部分１２を外れて、天井板１５に落下した尿８は、段部３で外部への流出が阻止されるとともに、天井板１５の逆傾斜により前側に案内される。これらの尿８についても、採尿部分１２を経由して、底板１４上に落下し、さらに後側に案内されて、そこに貯留される。ここでは、容器本体１に入っている尿８は、容器本体１の左右側板１８，１９と、底板１４と、後側板１７とで囲まれた領域に貯留された状態となるが、その貯留量が増えると、やがて前側板１６にも達するようになる。ただし、尿８が天井板１５には達しないように設定されている。
【００２９】
採尿容器１００の容器本体１に前記所定の尿量が貯留された後、その尿８を検査のために、別の場所である図示しない計測器に移す必要がある。ここでは、採尿容器１００の支持体２を、容器本体１の中心線Ｃまわりに、左右振り分けでＡ，Ｂ方向に向けて折り返すことにより、谷折りして左右周板２３，２４がほぼ重なった状態とする。そして、左右周板２３，２４の長孔５に片手（の指）９を突っ込み、該左右周板２３，２４を把持することにより、図４に示すように、容器本体１をその前側を上向きにして片手９で容易に保持することができる。このとき、容器本体１に入っている尿８は、該容器本体１内で流動して、その左右側板１８，１９と、後側板１７と、底板１４と，天井板１５とで囲まれた領域内に貯留された状態となる。当該領域は尿８が採尿部分１２に達しないように設定されている。
【００３０】
その状態の採尿容器１００を検査室等に運び込んで、そこで一日の尿量を測定する検査が行われる。すなわち、そこに運び込んだ採尿容器１００の容器本体１を、図４中の上向きの状態から同図中の前側に向けて徐々に傾けていく。そして、容器本体１内に入った尿８を、その前側板１６に沿って流出させることにより、前記計測器に徐々に移していく。このとき、支持体２の前側部分である前周板２１についた折り目が尿８の注ぎ口を形成するので、前記計測器に尿８を確実に移すことができるとともに、そこに形成された長孔４が尿８の流出量を規制するので、尿８が一度に流出してしまうことがない。また容器本体１の底部１４は、前側に向かうにつれて開口部１１に近づくように傾斜している。これによって、容器本体１を傾けて容器本体１内の尿を計測器に移すときに、容器本体１内の尿を開口部１１に円滑に移動させることができる。
【００３１】
そして、容器本体１内が空になれば、その容器本体１を簡単に水洗し、できるだけ小さくなるように折りたたんでから廃棄する。このように、採尿容器１００は、その使用時に使用者の手がよごれず、使い捨てできるため衛生的である。したがって、再利用に対する使用者の不快感、製品劣化による破損等のおそれがなくなる。また、衛生面の管理等が容易となり、洗浄作業が不要となり、医療従事者への負担が軽減される。さらに、採尿容器１００を廃棄時にできるだけ小さくなるようにおりたたむことにより、ごみ容量の減少をも図ることができる。
【００３２】
以上説明したように、本採尿容器１００によれば、容器本体１を、洋式便器２００の前側に非接触状態で収納可能としたので、衛生的であり、洋式便器２００に設置したときに、容器本体１と便器本体２０１体とが接触して浮き上がることはない。このため、浮き上がった容器本体１上に座ることにより、当該容器自体が破損したり、使用者が負傷したりするおそれもない。また、該容器本体１の開口部１１のうちの採尿部分１２以外を閉塞したので、採取時の尿８の導入を妨げることなく、いったん採尿容器１００内に導入した尿８が外部に流出しにくくなる。したがって、採尿容器１００を、尿８が入った状態で容易に持ち運べるようになる。
【００３３】
なお、上記実施形態では、本採尿容器１００の支持体２を、洋式便器２００の便座２０２上に置いたが、本採尿容器１００の支持体２を、洋式便器２００の便器本体２０１と便座２０２との間に挟み込んで使用してもよい。その場合は、図３中のＤ方向に、洋式便器２００の便座２０２を回動させることにより、便器本体２０１を外部に晒す。そして、本採尿容器１００の支持体２を、その便器本体２０１上に置いてから、便座２０２をもとの位置に戻せばよい。
【００３４】
また、上記実施形態では、採尿容器１００の容器本体１を四角錐台形状としたが、その他の多面体、円柱、楕円柱等の形状であってもよい。
【００３５】
また、上記実施形態では、採尿容器１００の容器本体１と、支持体２とは、ともに紙製としているが、プラスチック製等であってもよい。また、容器本体１と、支持体２とは、一体に形成してもよいし、別個に製造したものを組み立ててもよい。その場合、容器本体１と、支持体２とは、必ずしも同材料でなくてもよく、例えば容器本体１だけを紙製とするとともに、支持体２をプラスチックとする等、別個の材料製であってもよいのはもちろんである。
【００３６】
また、上記実施形態では、採尿容器１００の支持体２を、谷折りすることにより、重ね合わせた左右周板２３，２４の長孔５に、片手（の指）９を突っ込んで把持したが、これに代えて、前周板２１に別途形成した長孔や、ストラップ、その他の把持部を設けて、それを片手９で保持することとしてもよい。
【００３７】
また、上記実施形態では、採尿容器１００の支持体２の後周板２２に下向きの段部３を設けているが、その支持体２を、洋式便器２００の便器本体２０１と、便座２０２との間に挟み込む場合は、段部３に代えて、便座２０２よりも低い突起部を設けることとしてもよい。
【００３８】
また、上記実施形態では、採尿容器１００の支持体２の前周板２１に長孔４を設けているが、この前周板２１で開口部１１を塞がないようにして、容器本体１内の尿８を直接外部に流出させてもよい。その場合でも、支持体２を、その中心Ｃまわりに左右振り分けで谷折りされていることにより、尿８の注ぎ口が形成されるので、尿８が外部に飛び散ることなく、前記計測器に導くことができる。この注ぎ口には、尿８がさらにスムーズに流出するような突起等を設けてもよい。
【００３９】
また、上記実施形態では、支持体２が容器本体１の開口部１１を囲繞しているが、支持体２は、容器本体１の開口部１１を囲繞していなくてもよい。支持体２は、たとえば前周板２１と左右周板２３，２４とからなっていてもよい。
【００４０】
また、上記実施形態では、支持体２を、左右振り分けで谷折り可能としたが、支持体２は、起曲可能であればよく、左右の中心線に沿って折れ目が形成される必要はない。たとえば左側部分の上面と右側部分の上面とが対向するように、湾曲することができるように構成されていてもよい。
【符号の説明】
【００４１】
１００  採尿容器
１  容器本体
１１  開口部
１２  採尿部分（非閉塞部分に相当する。）
１４  底部
１５  天井板（閉塞部分に相当する。）
１６〜１９  前後左右側板
２  支持体
２１〜２４  前後左右周板
３  段部（第一堰に相当する。）
４  長孔（第二堰に相当する。）
５  長孔（把持部に相当する。）
８  尿
９  片手（の指）
２００  洋式便器
２０１  便器本体
２０２  便座
【先行技術文献】
【特許文献】
【００４２】
【特許文献１】実開平４−９０９６２号公報
【図１】
2016080373.tif 000003
【図２】
2016080373.tif 000004
【図３】
2016080373.tif 000005
【図４】
2016080373.tif 000006